(57)【要約】【課題】収容室を有する可動部と収容室の密栓を離脱させる固定部を備えた蓋により容器の開口部を封止する構造において、容器内に落下する密栓の誤飲を防止できる容器の封止構造を提供する。【解決手段】収容室(21)を有する可動部(1)と収容室の密栓(22)を離脱させる固定部(1)を備えた蓋(3)により容器(4)の開口部(5)を封止する構造であって、該固定部は、該密栓の通過を阻止し該容器の内容物(6)のみの通過を許容する取出口(11)と、該容器の開口部外周に適合する側壁(12)と、該側壁の内面下端部に突起を有し、該容器は、開口部外周に該突起と係合する鍔(14)を有している。該固定部は、該容器の開口部に挿入され該収容室を包囲する筒部(15)と、該筒部の下端から垂下しその先端が互いに内側に湾曲して該密栓の通過を阻止する複数の線状材(16a)で構成される籠部(16)を有し、該筒部と該籠部の連結部分に該密栓の通過を阻止する狭窄部(17)が設けられてもよい。【選択図】図１
2006044701.tif 000002
【特許請求の範囲】
【請求項１】
収容室(21)を有する可動部(1)と該収容室(21)の密栓(22)を離脱させる固定部(2)を備えた蓋(3)により容器(4)の開口部(5)を封止する構造であって、
該固定部(2)は、該密栓(22)の通過を阻止し該容器(4)の内容物(6)のみの通過を許容する取出口(11)と、該容器(4)の該開口部(5)外周に適合する側壁(12)と、該側壁(12)の内面下部に設けられた突起(13)を有し、
該容器(4)は、該開口部(5)外周に該突起(13)と係合する鍔(14)を有していることを特徴とする容器の封止構造。
【請求項２】
該鍔(14)の外面(14a)は、該開口部(5)の開口方向に縮径する縮径面となっている請求項１に記載の容器の封止構造。
【請求項３】
収容室(21)を有する可動部(1)と収容室(21)の密栓(22)を離脱させる固定部(2)を備えた蓋(3)により容器(4)の開口部(5)を封止する構造であって、
該固定部(2)は、該容器(4)の開口部(5)に挿入され該収容室(21)を包囲する筒部(15)と、該筒部(15)の下端から垂下しその先端が互いに向かい合う方向に湾曲して該密栓(22)の通過を阻止する複数の線状材(16a)で構成される籠部(16)を有し、該筒部(15)と該籠部(16)の連結部分に該密栓(22)の通過を阻止する狭窄部(17)が設けられていることを特徴とする容器の封止構造。
【請求項４】
該密栓(22)は円板状で、該籠部(16)は、該線状材(16a)の湾曲した先端部での開口径(R2)が該密栓(22)の底面の径(R1)よりも小となっている請求項３に記載の容器の封止構造。
【発明の詳細な説明】
【技術分野】
【０００１】
本発明は、複数の原料を、使用時に混合できる状態で隔離して保存する容器の封止構造に関するものである。
【背景技術】
【０００２】
二剤を混合して使用する薬剤や、原料を液体に混合して製品とした清涼飲料などは、混合された後長時間使用或いは消費されない場合、混合された薬剤どうしの反応或いは太陽光、空気中の酸素、液中の溶存酸素等に起因する液体に混合された原料の劣化により変質することがある。そこで、これら複数の原料等を混合して使用、消費する液体等を本来の性質を維持しながら保存する方法として、液体を内包する容器を封止するキャップに原料等の収容室を設け、混合されるべき原料や液体を別々に保存する方法が考案されている。そして、原料の収容室を設けたキャップとして、例えば、特開２００３−２３５０号公報に開示されたものがある。このキャップは、収容室を有する可動部と、収容室の密栓を離脱させる固定部とで構成され、固定部の透孔よりも径の大きい密栓を、透孔に挿入された筒状の収容室に取り付け、可動部の回動操作時に固定部により収容室を開封する構造となっている。そして、原料が圧力気体とともに封入される収容室の品質維持機能が比較的高く、また、可動部と固定部は筒体を基本とする単純な構成であり製造が比較的容易であるため、近年実用化されている。
【特許文献１】特開２００３−２３５０号公報
【発明の開示】
【発明が解決しようとする課題】
【０００３】
上記従来のキャップによれば、容器の内容物は固定部の透孔を通して取り出すことになっているところ、固定部が容器に取り付けられた状態であれば容器内に落下した密栓は固定部に引っ掛かり内容物に同伴することはない。しかしながら、需要者が可動部とともに固定部まで誤って容器から取り外してしまった場合、密栓が内容物に同伴し、その需要者が誤飲するおそれがあった。
【０００４】
そこで、本発明の目的は、収容室を有する可動部と収容室の密栓を離脱させる固定部を備えた蓋により容器の開口部を封止する構造において、容器内に落下する密栓の誤飲を防止できる容器の封止構造を提供することにある。
【課題を解決するための手段】
【０００５】
本発明にかかる第一の容器の封止構造は、収容室を有する可動部と収容室の密栓を離脱させる固定部を備えた蓋により容器の開口部を封止する構造であって、該固定部は、該密栓の通過を阻止し該容器の内容物のみの通過を許容する取出口と、該容器の開口部外周に適合する側壁と、該側壁の内面下端部に突起を有し、該容器は、開口部外周に該突起と係合する鍔を有していることを特徴とする。
【０００６】
該鍔の外面は、該開口部(5)の開口方向に縮径する縮径面となっていてもよい。なお、本発明において縮径面とは、上端と下端を結ぶ直線が連続して形成された円錐面の他、上端と下端を結び外方に膨らんだ曲線が連続して形成された曲面も含むものとする。
【０００７】
本発明にかかる第二の容器の封止構造は、収容室を有する可動部と収容室の密栓を離脱させる固定部を備えた蓋により容器の開口部を封止する構造であって、該固定部は、該容器の開口部に挿入され該収容室を包囲する筒部と、該筒部の下端から垂下しその先端が互いに内側に湾曲して該密栓の通過を阻止する複数の線状材で構成される籠部を有し、該筒部と該籠部の連結部分に該密栓の通過を阻止する狭窄部が設けられていることを特徴とする。なお、本発明において線状材とは、幅方向、厚み方向、或いは径方向の寸法に対し、長さ方向の寸法が大きい部材をいうものとし、例えば、帯形、細長い柱状、或いは糸状の部材が該当する。
【０００８】
該密栓は円板状で、該籠部は、該線状材の湾曲した先端部での開口径が該密栓の底面の径よりも小となっていてもよい。
【発明の効果】
【０００９】
本発明にかかる第一の容器の封止構造によれば、固定部が容器の開口部に取り付けられた状態において、固定部側壁の内面下端部に設けられた突起が、開口部外周の鍔に弾発係合する。そのため、需要者が固定部を取り外す方向に力を加えても、突起と鍔の係合力が固定部の容器からの取り外しに対する強い抵抗力として働くことになる。そのため、需要者の使用に際し、固定部が誤って取り外されることを防止できる。そして、固定部が取り付けられている限り、取出口を通して密栓が取り出されることはないので、容器内に落下した密栓の誤飲を未然に防止できる。
【００１０】
鍔の外面は、開口部の開口方向に縮径する縮径面となっていれば、固定部を取り付ける際には側壁下端部が縮径面に沿って撓み、突起が鍔の下端に嵌り込む状態まで固定部を円滑に移動させることができる。一方、突起が鍔の下端に嵌り込んだ後は、突起と鍔が係合し、固定部の取り外しに対する強い抵抗力を生じさせる。そのため、固定部の取り外しを抑制する機能を維持しながら、取り付けの妨げにならないものにできる。
【００１１】
本発明にかかる第二の容器の封止構造によれば、可動部を移動させ収容室を筒部から抜き出し、狭窄部を利用して密栓を収容室から離脱させると、落下した密栓は籠部内に保持される。容器の内容物は、籠部の隙間及び筒部を通して取り出すことができるが、密栓は狭窄部の機能により取り出されることはないので、収容室から離脱した密栓の誤飲を未然に防止できる。
【００１２】
密栓が円板状で、線状材の湾曲した先端部での開口径が密栓の底面の径よりも小となっているていれば、密栓の容器内への脱落を防止しながら、容器の内容物の取り出しを円滑に行うことができる。
【発明を実施するための最良の形態】
【００１３】
図１は、本発明にかかる第一の容器の封止構造の具体例を示し、（ａ）は同封止構造全体の正断面図、（ｂ）は開口部の拡大正面図、（ｃ）は側壁下端部の拡大正断面図である。
【００１４】
この容器の封止構造は、収容室２１を有する可動部１と収容室２１の密栓２２を離脱させる固定部２を備えた蓋３により容器３の開口部５を封止するものである。固定部２は、密栓２２の通過を阻止し容器４の内容物６のみの通過を許容する取出口１１と、容器４の開口部５外周に適合する側壁１２と、側壁１２の内面下端部に設けられた突起１３を有する。一方、容器４は、開口部５外周に前記突起１３と係合する鍔１４を有している。
【００１５】
この封止構造によれば、固定部２が容器４の開口部５に取り付けられた状態において、固定部２の側壁１２の内面下端部に設けられた突起１３が、開口部５外周の鍔１４に弾発係合する。そのため、需要者が固定部２を取り外す方向に力を加えても、突起１３と鍔１４の係合力が固定部２の容器４からの取り外しに対する強い抵抗力として働くことになる。そのため、需要者の使用に際し、固定部２が誤って取り外されることを防止できる。そして、固定部２が取り付けられている限り、取出口１１を通して密栓２２が取り出されることはないので、容器４内に落下した密栓２２の誤飲を未然に防止できる。
【００１６】
鍔１４の外面１４ａは、開口部５の開口方向に縮径する縮径面となっている。
こうすると、固定部２を取り付ける際には側壁１２下端部が縮径面１４ａに沿って撓み、突起１３が鍔１４の下端に嵌り込む状態まで固定部２を円滑に移動させることができる。一方、突起１３が鍔１４の下端に嵌り込んだ後は、突起１３と鍔１４が係合し、固定部２の取り外しに対する強い抵抗力を生じさせる。そのため、固定部２の取り外しを抑制する機能を維持しながら、取り付けの妨げにならないものにできる。
なお、この封止構造の縮径面１４ａは、上端と下端を結ぶ直線が連続して形成された円錐面となっているが、上端と下端を結び外方に膨らんだ曲線が連続して形成された曲面としてもよい。
【００１７】
側壁１２は、筒状部材１２ａと環状部材１２ｂとで構成され、突起１３は、環状部材１３ａにより形成されている。
こうすると、公知の不正開封表示バンドを形成する手法を転用して、突起１３を極めて容易に形成することができる。ただし、不正開封表示バンドを形成する公知の手法をそのまま転用する場合、不正開封表示バンドと蓋の側壁の連結部にはミシン目等の破断補助構造を設ける工程は行わず、連結部は破断しない構造とする。
【００１８】
図２〜４に、本発明にかかる第二の容器の封止構造の具体例を示す。図２は、同封止構造全体の正断面図である。図３は、籠部の成形方法を説明する図で、（ａ）は筒体の先端を湾曲させる前の状態の斜視図、（ｂ）は籠部が完成した状態の斜視図である。図４は、籠部の他の成形方法を説明する図で、（ａ）は筒体の先端を湾曲させる前の状態の斜視図、（ｂ）は籠部が筒部に固着される前の状態の斜視図である。なお、図２〜図４において、上記具体例と共通する部分には同一の符号が付されている。
【００１９】
この容器の封止構造も、また、収容室２１を備えた可動部１と収容室２１の密栓２２を離脱させる固定部２を備えた蓋３により容器４の開口部５を封止するものである。固定部２は、容器４の開口部５に挿入され収容室２１を包囲する筒部１５と、筒部１５の下端から垂下しその先端が互いに向かい合う方向に湾曲して密栓２２の通過を阻止する複数の線状材１６ａで構成される籠部１６を有する。また、筒部１５と籠部１６の連結部分に、密栓２２の通過を阻止する狭窄部１７が設けられている。
【００２０】
この封止構造によれば、可動部１を移動させ収容室２１を筒部１５から抜き出し、狭窄部１７を利用して密栓２２を収容室２１から離脱させると、落下した密栓２２は籠部１６内に保持される。容器４の内容物６は、籠部１６の隙間及び筒部１５を通して取り出すことができるが、密栓２２は狭窄部１７の機能により取り出されることはないので、収容室２１から離脱した密栓２２の誤飲を未然に防止できる。
【００２１】
密栓２２は円板状で、籠部１６の線状材１６ａの湾曲した先端部での開口径Ｒ２が密栓２２の底面の径Ｒ１よりも小となっている。
こうすると、密栓２２の容器４内への脱落を防止しながら、容器４の内容物６の取り出しを円滑に行うことができる。
【００２２】
籠部１６は、以下の方法により簡単に形成することができる。
まず、固定部２に、筒部１５を構成するための長めの筒体１８を、プラスチックなどの熱可塑性の材質で設ける。なお、筒体１８の長さは、筒部１５の長さに籠部１６の形成に必要な長さを加えたものとする。また、筒体１８における筒部１５と籠部１６の連結部分になるべき部位には狭窄部１７を設けておく。
【００２３】
次に、前記筒体１８の先端部に、長手方向のスリット１９を、狭窄部１７に到達しない程度の長さとなるように形成し、図３（ａ）に示す状態とする。そして、スリット１９を形成した筒体１８に空の収容室２１を挿入し、原料を充填してから密栓２２で封止する。
【００２４】
収容室２１を封止したら、筒体１８の先端部に形が崩れない程度の熱を加え、スリット１９により形成された線状材１６ａの先端を、互いに向かい合う方向に湾曲させ、図３（ｂ）に示す状態とする。冷却後、形状が安定すれば、収容室２１を封止する密栓２２の下方に籠部１６が形成されることになる。
【００２５】
籠部１６は筒部１５と一体に形成する必要はなく、筒部１５と別に形成してもよい。その場合、筒部１５と別体の筒体１６’に上記と同様のスリット１９を形成し、図４（ａ）に示す状態とした後、加熱、折り曲げにより成形し、図４（ｂ）に示すように、収容部２１が挿入され密栓２２が取り付けられた状態にある筒部１５に固着させればよい。
【図面の簡単な説明】
【００２６】
【図１】本発明にかかる第一の容器の封止構造の具体例を示し、（ａ）は同封止構造全体の正断面図、（ｂ）は開口部の拡大正面図、（ｃ）は側壁下端部の拡大正断面図である。
【図２】本発明にかかる第二の容器の封止構造の具体例を示す、同封止構造全体の正断面図である。
【図３】籠部の成形方法を説明する図で、（ａ）は筒体の先端を湾曲させる前の状態の斜視図、（ｂ）は籠部が完成した状態の斜視図である。
【図４】籠部の他の成形方法を説明する図で、（ａ）は筒体の先端を湾曲させる前の斜視図、（ｂ）は籠部が筒部に固着される前の状態の斜視図である。
【符号の説明】
【００２７】
１    可動部
２    固定部
３    蓋
４    容器
５    開口部
６    内容物
１１  取出口
１２  側壁
１２ａ  筒状部材
１２ｂ  環状部材
１３  突起
１４  鍔
１４ａ  外面
１５  筒部
１６  籠部
１６’、１８  筒体
１６ａ  線状材
１７  狭窄部
１９  スリット
２１  収容室
２２  密栓
Ｒ１、Ｒ２  径
【図１】
2006044701.tif 000003
【図２】
2006044701.tif 000004
【図３】
2006044701.tif 000005
【図４】
2006044701.tif 000006